(57)【要約】      （修正有）【課題】状況に応じて、遊技球を第１通路又は第２通路のいずれかにのみに誘導し易くすることができる遊技機を提供する。【解決手段】遊技球が流下可能な遊技領域を有する遊技盤と、遊技領域に設けられ、遊技球が流下可能な上流通路２０４と、上流通路２０４から、少なくとも第１通路２０８及び第２通路２１０に分岐する下流通路２０８，２１０と、上流通路２０４及び下流通路２０８，２１０の前面を覆う飾り板２２０とを備え、飾り板２２０に、下流通路２０８，２１０のうち、第１通路２０８又は第２通路２１０のいずれか一方の通路内に挿入させて当該いずれか一方の通路への遊技球の流下を阻止するとともにいずれか他方の通路へ誘導するための誘導具を前方から挿入可能な挿入部２２０ａを設ける。【選択図】図３
2018051066.tif 000002
【特許請求の範囲】
【請求項１】
遊技球が流下可能な遊技領域を有する遊技盤と、
前記遊技領域に設けられ、遊技球が流下可能な上流通路と、
前記上流通路から、少なくとも第１通路及び第２通路に分岐する下流通路と、
前記上流通路及び前記下流通路の前面を覆う飾り板とを備え、
前記飾り板に、前記下流通路のうち前記第１通路又は前記第２通路のいずれか一方の通路内に挿入させて当該いずれか一方の通路への遊技球の流下を阻止するとともにいずれか他方の通路へ誘導するための誘導具を前方から挿入可能な挿入部を設けたことを特徴とする遊技機。
【請求項２】
遊技球が流下可能な遊技領域を有する遊技盤と、
前記遊技領域を流下する遊技球が通過可能であって、通路幅を変更可能な可変通路と、
前記可変通路に流入した遊技球を、少なくとも第１方向又は第２方向のいずれか一方に振分けられ易い態様の誘導部を有する分岐部と、
前記可変通路及び前記分岐部の前面を覆う飾り板とを備え、
前記飾り板に、前記可変通路の前記通路幅を変更可能な調整具を挿入可能な挿入部を設け、
前記可変通路の前記通路幅を変更することによって、前記可変通路に流入した遊技球を、前記第１方向又は前記第２方向のいずれか一方に振分けられ易くしたことを特徴とする遊技機。
【請求項３】
遊技球が流下可能な遊技領域を有する遊技盤と、
前記遊技領域を流下する遊技球が通過可能な流下通路と、
前記遊技領域の前記流下通路の下方に形成され、前記流下通路を通過した遊技球が入球可能な上向きに開口する入球口と、
前記入球口の両側に設けられ前記入球口に入球しない遊技球が流下可能な非入球路と、
少なくとも前記入球口及び前記非入球路の前面を覆う飾り板とを備え、
前記飾り板に、前記非入球路内に挿入させて前記非入球路への流下を阻止するとともに前記入球口へ誘導するための誘導具を挿入可能な挿入部を設けたことを特徴とする遊技機。
【発明の詳細な説明】
【技術分野】
【０００１】
本発明は、遊技機に関する。
【背景技術】
【０００２】
従来、パチンコ店等の遊技ホールに設置されている遊技機（パチンコ機）には、遊技盤の遊技領域に発射された遊技球が始動入賞口に入賞したことに基づいて、当りに係る抽選が行われ、その結果、大当りに当選した場合には、大入賞口が開放して遊技球が大入賞口に入賞し易い大当り遊技を開始するものがある。
【０００３】
この種の遊技機には、遊技領域において、例えば、鉛直方向に延びる上流通路（共通通路）から、左右２つに分岐することで２本の下流通路（外側分岐路と内側分岐路）を形成し、上流通路から下流通路のうちのいずれかを通過した遊技球を、下流通路に連通した互いに異なる２つの領域のうちいずれかの領域へ誘導可能なものがある（特許文献１）。
また、遊技通路を通過する遊技球の前後のブレを抑えるために遊技通路の前面を覆う飾り板（前カバー）を設けるものがある（特許文献２）。
【０００４】
ここで、特許文献１に記載の遊技機において、例えば、下流通路として、一般入賞口に至る第１通路及び大入賞口に至る第２通路を設けた場合であって、出荷前の工場検査時において、上流通路を流下する遊技球を下流通路のうち第１通路のみへ流下させ、一般入賞口に入賞させることによって検査を効率良く行うことができるものがある。
【先行技術文献】
【特許文献】
【０００５】
【特許文献１】特開２０００−９３６３３号公報
【特許文献２】特開２０１６−７７７３８号公報
【発明の概要】
【発明が解決しようとする課題】
【０００６】
しかしながら、通常、上流通路を流下した遊技球は、下流通路の第２通路に向かって流下してしまうこともあり、効率良く検査を行うことが困難となっていた。
【０００７】
これに対し、遊技球の流れを規制可能な誘導具を、前方から第２通路内に挿入させることにより、第２通路へ向かう遊技球を阻止して、第１通路へ誘導することができるが、特許文献２に記載の遊技機のように、通路の前面に飾り板が設けられている場合には、この飾り板を取り外さなければ、遊技機の前面から上述の誘導具を挿入させて直接遊技球の流れを第１通路へ誘導することは困難となっていた。
また、飾り板の裏面に通路（側壁）を形成し、当該飾り板を遊技盤に取り付けることによって、遊技盤上に通路を設けている場合には、当該飾り板を遊技盤から取り外してしまうと、通路ごと取り外すことになるため、上述の検査すら行うことができない。
【０００８】
本発明は、上記事情に鑑みてなされたものであり、状況に応じて、遊技球を第１通路又は第２通路のいずれかにのみに誘導し易くすることが可能な遊技機を提供することを目的とする。
【０００９】
上記目的を達成するために、第１の発明は、遊技球が流下可能な遊技領域を有する遊技盤と、前記遊技領域に設けられ、遊技球が流下可能な上流通路と、前記上流通路から、少なくとも第１通路及び第２通路に分岐する下流通路と、前記上流通路及び前記下流通路の前面を覆う飾り板とを備え、前記飾り板に、前記下流通路のうち前記第１通路又は前記第２通路のいずれか一方の通路内に挿入させて当該いずれか一方の通路への遊技球の流下を阻止するとともにいずれか他方の通路へ誘導するための誘導具を前方から挿入可能な挿入部を設ける。
【００１０】
第１の発明では、遊技球が、上流通路から下流通路のうち第１通路又は第２通路のいずれかの通路へ流下するように構成され、例えば、出荷前の工場検査時において、検査の効率性等の観点から、遊技球の通過を１球ずつ電気的に検出させるべく遊技球を第１通路へ流下させることが望まれる場合に、誘導具を挿入部から第２通路内（例えば、第２通路の上流部）に挿入させることにより、遊技球の第２通路への流下を確実に阻止するとともに第１通路へ確実に流下させることができ、検査時の作業性の向上を図ることができる。
【００１１】
また、検査の効率性等の観点から、同じく遊技球を第２通路へ流下させることが望まれる場合に、誘導具を挿入部から第１通路内（例えば、第１通路の上流部）に挿入させることにより、遊技球の第１通路への流下を確実に阻止するとともに当該遊技球を第２通路へ確実に流下させることができ、検査時の作業性の向上を図ることができる。
【００１２】
第２の発明は、遊技球が流下可能な遊技領域を有する遊技盤と、前記遊技領域を流下する遊技球が通過可能であって、通路幅を変更可能な可変通路と、前記可変通路に流入した遊技球を、少なくとも第１方向又は第２方向のいずれか一方に振分けられ易い態様の誘導部を有する分岐部と、前記可変通路及び前記分岐部の前面を覆う飾り板とを備え、前記飾り板に、前記可変通路の前記通路幅を変更可能な調整具を挿入可能な挿入部を設け、前記可変通路の前記通路幅を変更することによって、前記可変通路に流入した遊技球を、前記第１方向又は前記第２方向のいずれか一方に振分けられ易くする。
【００１３】
第２の発明では、遊技球を第１方向又は第２方向のいずれかに振分ける例えば山型の分岐部が形成され、例えば、出荷前の工場検査時において、検査の効率性等の観点から、遊技球の通過を１球ずつ電気的に検出させるべく遊技球を第１方向へ流下させることが望まれる場合、一方に振分けられ易い態様として、傾斜角が互いに異なる傾斜面（誘導部）を有し（例えば、第１方向側を緩斜面とし、第２方向側を急斜面とし）、頂部（誘導部）が可変通路の中心からずれるように配置される分岐部により、可変通路に流入した遊技球を、例えば１：３の割合で第１方向よりも第２方向へ遊技球が振分けられ易くなるようにした場合であっても、所定の調整具（例えば、金槌）を調整用の挿入部から挿入させて、可変通路の側壁を構成する分岐部側の一部（例えば、側壁を連続して植設された遊技釘とした場合、遊技釘の下側の一部）を、所定の方向（例えば、縮減方向）へ変形（変位）させて通路幅を変更することによって、遊技球を変形前の割合よりも多く第１方向へ流下させることができる。
【００１４】
また、検査の効率性等の観点から、より確実に遊技球を第１方向へ流下させるためには、例えば、上述の側壁を構成する一部（例えば、遊技釘の分岐部側の一部）と、分岐部における一方の傾斜面（例えば、第２傾斜面）との間に形成される一方の通路の上流部において、挿入用の挿入部から上述とは異なる特定の調整具（例えば、棒状体）を挿入させた状態を維持することにより、遊技球の第２方向への流下を阻止する阻止状態とするとともに、遊技球を第１方向へ流下させる誘導状態となるように一方の通路の通路幅を変更することができる。
【００１５】
また、検査の効率性等の観点から、遊技球を例えば１：３の割合よりも多くの割合で第２方向へ流下させることが望まれる場合、可変通路の側壁を構成する一部（例えば、遊技釘の下側の一部）を上述の所定の方向とは逆の方向（例えば、拡幅方向）へ変形（変位）させて、通路幅を変更することによって、遊技球を変形前の割合よりも多く第２方向へ流下させることができる。
【００１６】
第３の発明は、遊技球が流下可能な遊技領域を有する遊技盤と、前記遊技領域を流下する遊技球が通過可能な流下通路と、前記遊技領域の前記流下通路の下方に形成され、前記流下通路を通過した遊技球が入球可能な上向きに開口する入球口と、前記入球口の両側に設けられ前記入球口に入球しない遊技球が流下可能な非入球路と、少なくとも前記入球口及び前記非入球路の前面を覆う飾り板とを備え、前記飾り板に、前記非入球路内に挿入させて前記非入球路への流下を阻止するとともに前記入球口へ誘導するための誘導具を挿入可能な挿入部を設ける。
【００１７】
第３の発明では、遊技球を入球口と非入球路とのいずれかに流下させる分岐路が形成され、例えば、出荷前の工場検査時において、検査の効率性等の観点から、遊技球を入球口（例えば、一般入賞口や遊技球を検出するための通過口）へ確実に入球させることが望まれる場合、誘導具を挿入部から非入球路内に挿入させることにより、遊技球の非入球路への流下を確実に阻止するとともに当該遊技球を入球口へ入球させることができ、検査時の作業性の向上を図ることができる。
【発明の効果】
【００１８】
本発明によると、状況に応じて、遊技球を第１通路又は第２通路のいずれかに誘導し易くすることができる。
【図面の簡単な説明】
【００１９】
【図１】本発明の一実施形態に係る遊技機の前方斜視図である。
【図２】同じく遊技機の遊技盤の正面図である。
【図３】同じく右遊技領域の拡大正面図である。
【図４】同じく図３におけるＩＶ―ＩＶ断面図である。
【図５】同じく図３におけるＶ―Ｖ断面図である。
【図６】同じく分岐部の正面拡大図である。
【図７】同じく誘導具を挿入させた状態（誘導具は断面で示す）の分岐部の正面拡大図である。
【図８】同じく誘導具を挿入させた状態（誘導具は断面で示す）の一般入賞領域の正面拡大図である。
【発明を実施するための形態】
【００２０】
以下、図面を参照し、発明の一実施形態及び変形例を通じて本発明を詳説するが、以下の実施形態及び変形例は特許請求の範囲に係る発明を限定するものではなく、実施形態及び変形例の中で説明される特徴の組み合わせの全てが発明の解決手段に必須であるとは限らない。
なお、以下の説明において遊技機（パチンコ機）の各部の左右方向は、その遊技機の正面に対面する者にとっての左右方向に合わせて説明する。
【００２１】
図１に示すように、遊技場の島設備に設置される遊技機１は、縦長矩形の枠状の枠部材２に装着され、遊技球が流下可能な遊技領域４ａを有する透明の合成樹脂材で形成された遊技盤４を備え（図２参照）、その前側には、遊技盤４の前面（以下、盤面ともいう）を保護するとともに視認可能な透明のガラス板５ａを嵌め込んだガラス枠５が、枠部材２に固定された上下の蝶番５ｂ、５ｂにより垂直軸周りに開閉自在に取り付けられる。ガラス枠５には、演出装置であって、遊技状況に応じて、効果音を出力するスピーカ６Ｌ、６Ｒ、発光態様が変化する電飾装置７等が設けられる。遊技機１の下部には、遊技球を遊技領域４ａへ発射可能な発射装置（図示省略）に遊技球を供給するとともに、遊技球の入賞に基づいて払い出される賞球等を一時的に貯留するための上受皿８ａ及び上受皿８ａに貯留される遊技球のうち貯留しきれない遊技球を受入れ可能な下受皿８ｂが設けられる。下受皿８ｂの右方には、遊技領域４ａへ発射される遊技球の発射力を調整するための発射ハンドル９が設けられる。
【００２２】
図２に示すように、遊技盤４の前面に設けられる遊技領域４ａは、前方へ突出するガイドレールＧＬ等に包囲されることにより、外側が略円形に区画され、後述するセンター役物１０の飾り枠１０ａにより、内側が環状をなすように区画される。すなわち、遊技領域４ａは、ガイドレールＧＬ及びセンター役物１０の飾り枠１０ａにより略環状帯をなすように区画されている。遊技領域４ａには、遊技球の流下方向を変化させる多数の遊技釘（一部省略）や風車Ｗ１が設けられる。遊技領域４ａの前側には、光源（ＬＥＤ等）の発光により様々な発光演出を行うセンター役物１０が設けられる。
【００２３】
センター役物１０は、遊技盤４に固定され、後述する演出表示装置１１の表示画面１１ａの前側の周囲を囲むように枠状に形成された飾り枠１０ａと、飾り枠１０ａの左側部に設けられたワープ孔１０ｂに進入した遊技球を導入可能とし、導入された遊技球を前後左右に転動させるとともに、その裏側に設けられたワープ通路４ｂに誘導させたり、前方から遊技領域４ａに流下させたりするステージ１０ｄとを備える。
【００２４】
センター役物１０の飾り枠１０ａの後側には、図２に鎖線で示す演出表示装置（ＬＣＤ等）１１が配置され、表示画面１１ａが飾り枠１０ａの開口部１０ｃから視認可能となっている。演出表示装置１１の表示画面１１ａには、遊技状況に応じた情報が表示され、例えば、キャラクタ、数字等から構成され、変動後に停止する態様で表示（変動表示又は停止表示ともいう）される複数の演出図柄、当該演出図柄のうち先に停止表示された偶数個（例えば、２つ）の演出図柄（例えば、「７」）が同一図柄となるリーチ演出、当該リーチ演出後に発展的に進行する物語性を有するストーリー演出等が表示される。後述する特図抽選の結果、当選した（大当りとなった）場合には、変動表示中の演出図柄が、先に停止表示されている演出図柄と同一図柄で停止表示され、例えば「７、７、７」（同一図柄）が停止表示された後、大当り遊技が開始され、後述するアタッカー装置３０２が開放作動するラウンド遊技が行われる。
【００２５】
さらに、図２に示すように、遊技領域４ａには、ワープ通路４ｂの直下にあって、ステージ１０ｄや遊技領域４ａを流下してきた遊技球がそれぞれ入賞可能な上向きに開口する第１特図入賞口１２が設けられる。第１特図入賞口１２の左方には、遊技領域４ａを流下してきた遊技球がそれぞれ入賞可能な上向きに開口する複数の一般入賞口１３がガイドレールＧＬに沿って配置される。
【００２６】
図２、３に示すように、センター役物１０の右側の遊技領域４ａ（右遊技領域）は、上から、後述する第２特図始動電動役物１５が設けられる電チュー領域１００、電チュー領域１００から流下してきた遊技球を複数の領域に振分ける振分け領域２００、後述するアタッカー装置３０２が設けられるアタッカー領域３００のそれぞれに区分することができる。
【００２７】
電チュー領域１００には、遊技領域４ａの右領域へ発射された遊技球が通過可能な普図ゲート１４が設けられ、普図ゲート１４の前面には透明の前面カバー１４１が設けられる。
【００２８】
図２、３に示すように、普図ゲート１４の下方には、遊技球が入賞可能な第２特図入賞口１５１と、第２特図入賞口１５１の両側に前方へ突出するように配置される誘導壁１５２，１５２と、第２特図入賞口１５１の下部に設けられた左右方向の回転軸により回動可能に支持され、遊技球の普図ゲート１４の通過に基づいて、遊技球の第２特図入賞口１５１への入賞を不能とする閉鎖位置から、第２特図入賞口１５１を開放するとともに、誘導壁１５２，１５２の間を流下してきた遊技球を誘導して第２特図入賞口１５１への入賞を可能とする開放位置に回動可能な可動板１５３とを有する第２特図始動電動役物（以下、電チューという）１５が設けられる。また、電チュー１５の前面には、誘導壁１５２，１５２の間を通過する遊技球の前後のブレを規制する透明の前面カバー１５４が設けられる。
【００２９】
ここで、電チュー領域１００では、第２特図入賞口１５１に入賞しない遊技球は、右側の急斜面の上部第１誘導路１６２又は左側の緩斜面の上部第２誘導路１６４のいずれかを通って、後述する振分け領域２００の導入口２０２に至るようになっている。さらに、上部第２誘導路１６４には、通路内に突出して、通過する遊技球が衝突することにより、当該遊技球の流下速度を減速させることが可能な減速リブ１６４ａ（以下に説明する減速リブ２０４ｃ，２０８ａ，２１２ｂ，２１４ａは、減速リブ１６４ａと同様の構成をなし、同等の機能を有する。）が設けられている。
【００３０】
この構成により、上部第１誘導路１６２では遊技球の流下速度を落とすことなく、また、上部第２誘導路１６４では遊技球の流下速度を減速させることにより、上部第１誘導路１６２又は上部第２誘導路１６４を通過する遊技球の流下速度を互いに異ならせることができるため、たとえ遊技球が、各誘導路１６２，１６４を同じタイミングで流下しようとする場合であっても、導入口２０２において同時に流入し難くなり、球詰りし難い構成となっている。
【００３１】
図２、３に示すように、電チュー領域１００の下方には、遊技球を後述する一般入賞口（入球口）２１６又はアタッカー領域３００のいずれかに振分け可能な振分け領域２００が設けられる。
【００３２】
図３に示すように、振分け領域２００は、導入口２０２、鉛直路（上流通路、可変通路）２０４、分岐部２０６、第１分岐路（下流通路、第１通路）２０８、第２分岐路（下流の通路、第２通路）２１０、下部第１誘導路（下流通路、第１通路、流下通路）２１２、下部第２誘導路（下流通路、第２通路）２１４、一般入賞口（入球口）２１６、飾り板２２０等を含んで構成される。
【００３３】
振分け領域２００の上部に設けられた導入口２０２は、遊技球１個分より若干大きい幅（例えば、１２ｍｍ）を有し、電チュー領域１００において第２特図入賞口１５１に入賞しなかった遊技球を振分け領域２００内に導入可能となっている。
【００３４】
図６に示すように、導入口２０２から鉛直方向に延びる鉛直路（上流通路、可変通路）２０４は、左側の壁面を構成する合成樹脂性の樹脂壁２０４ａと、右側の側壁（壁面）の機能をなし、樹脂壁２０４ａの右側に対向するように上下方向に連続して植設された複数の遊技釘からなる誘導釘２０４ｂとを有する。誘導釘２０４ｂを所定の方向に曲げる（変形させる）ことにより、通路幅を広くしたり、狭くしたりすることができる。
また、誘導釘２０４ｂの最も下に位置する遊技釘は、第２分岐路２１０の一部を構成しており、後述するように、当該釘を曲げることにより、第２分岐路２１０の通路幅Ｗを広く（高さを高く）することができる。
鉛直路２０４の盤面側には、減速リブ２０４ｃが設けられている。
【００３５】
図６に示すように、鉛直路２０４の下方に設けられる分岐部２０６は、左下がり（第１方向）の緩斜面の第１分岐路（下流通路、第１通路、誘導部）２０８と、右下がり（第２方向）の急斜面の第２分岐路（下流通路、第２通路、誘導部）２１０と、それらの第１分岐路２０８及び第２分岐路２１０が連接してなる頂部（誘導部）２０７とにより山型に形成され、遊技球を第１分岐路２０８又は第２分岐路２１０のいずれかに振分けることができる非可動型の振分け部をなしている。なお、分岐部２０６は、遊技球を誘導可能であれば傾斜面を階段状としてもよい。
【００３６】
この構成により、鉛直路２０４から落下した遊技球が、頂部２０７を境に、左側に落下した場合には、第１分岐路２０８へ流下し、同じく右側に落下した場合には、第２分岐路２１０へ流下するようになっている。
また、遊技球が落下した際に、分岐部２０６のいずれかに衝突して跳ね返った場合には、跳ね返り方向が一定ではないため、上述のように流下しない場合もある。
【００３７】
本実施形態の遊技機１では、遊技球が分岐部２０６により第１分岐路２０８（下部第１誘導路２１２）又は第２分岐路２１０（下部第２誘導路２１４）のいずれかに振分けられる（流下させる）確率（以下、振分け率という）を、例えば、約１：３となるように設定している。
【００３８】
この振分け率は、誘導釘２０４ｂの遊技釘（例えば、最下端のもの）の曲げ方向や角度によって調整することができる。例えば、当該遊技釘を、図３における上方又は右方に曲げることにより第２分岐路２１０の入口（上流側）の高さを高くすることができ、遊技球が第２分岐路２１０へ流下し易くなる。逆に、当該遊技釘を下方又は左方に曲げることにより第２分岐路２１０の入口の高さを低くすることができ、遊技球が第２分岐路２１０へ流下し難くなる。このようにして遊技盤４に固定された分岐部２０６の振分け率を調整することができる。
【００３９】
図４、５に示すように、第１分岐路２０８及び第２分岐路２１０は、後方への下り傾斜を有している。なお、図４、５は、説明の便宜上、遊技球を流下（転動）させた態様を示している。
【００４０】
この構成により、図４に示すように、第１分岐路２０８に衝突して跳ね返った遊技球を、盤面に衝突させるとともに、盤面に形成された減速リブ２０４ｃの下部に衝突させることができ、遊技球の上方への跳ね返り量を抑えることが可能となり、遊技球を円滑に流下させることができる。
また、第２分岐路２１０に衝突して跳ね返った遊技球を、盤面に衝突させることができ、遊技球の上方への跳ね返り量を抑えることができるが、たとえ跳ね返り量が大きくなった場合であっても、誘導釘２０４ｂに衝突するため、第１分岐路２０８と同様に遊技球を円滑に流下させることができる。
【００４１】
図３、６、７に示すように、第１分岐路２０８の最下流位置（左端位置）には、第１分岐路２０８を流下する遊技球の通過を検出可能な演出スイッチＳＷ１が配置される。演出スイッチＳＷ１の遊技球の検出を契機に、後述する光演出部ＬＰの光源Ｌが点灯するようになっている。
【００４２】
図４に示すように、演出スイッチＳＷ１は、左右方向の遊技球の通過口ＰＳが盤面側（後方）寄りに配置されているため、第１分岐路２０８の後ろ傾斜により、盤面側に転動した遊技球を、通過口ＰＳに滞りなく通過させることができるようになっている。
【００４３】
図６に示すように、第１分岐路２０８は、演出スイッチＳＷ１よりも上流側（右側）を上述の振分け率を保持可能な限り右上方へ延伸するように構成されている。また、第１分岐路２０８における演出スイッチＳＷ１の直前（右側）には、減速リブ２０８ａが設けられている。
これらの構成により、鉛直路２０４から流下してきた遊技球を、第１分岐路２０８の演出スイッチＳＷ１の上流側で減速させ、滞りなく演出スイッチＳＷ１へ誘導することができるようになっている。
【００４４】
また、第２分岐路２１０を短い急斜面としているが、これは第２分岐路２１０への振分け率が高く（例えば、第１分岐路２０８の約３倍）設定されているからであり、第２分岐路２１０に連続的に振分けられた遊技球を速やかに流下させるためだからである。
【００４５】
図３に示すように、第１分岐路２０８から鉛直方向に延びる下部第１誘導路（下流通路、第１通路、流下通路）２１２の盤面側には、ＬＥＤ等の光源Ｌが上下方向に所定の間隔をもって配置される光演出部ＬＰが設けられる。演出スイッチＳＷ１に遊技球が通過することを契機に、当該通過した遊技球の下部第１誘導路２１２を流下する速度に合わせて、光演出部ＬＰの上部の光源Ｌから下方の光源Ｌへ順に点灯するようになっている。
【００４６】
ここで、本実施形態の遊技機１では、演出スイッチＳＷ１を、第１分岐路２０８に配置するために縦置きで設置したことにより、下部第１誘導路２１２に設けられた光演出部ＬＰの演出領域が、演出スイッチＳＷ１によって遮られることなく、最大限に演出領域（上下の長手方向）を確保することができる。
【００４７】
この構成により、縦長の光演出部ＬＰの複数の光源Ｌを上から順に点灯させる演出を効果的に行うことができる。
【００４８】
下部第１誘導路２１２を構成する左右の両側壁２１２ａ，２１２ａには、複数の減速リブ２１２ｂ，２１２ｂが互い違いに設けられている。
【００４９】
図３に示すように、下部第１誘導路２１２の直下に設けられている一般入賞口（入球口）２１６は、下部第１誘導路２１２を流下してきた遊技球が入賞可能なように上向きに開口している。
【００５０】
ここで、下部第１誘導路（流下通路）２１２は、両側壁２１２ａ，２１２ａの下流側が拡幅するように互いに離れる方向（左右方向）へ湾曲又は折曲することにより、下部第１誘導路２１２の上流側よりも幅広の一般入賞領域２１５を形成している。一般入賞口２１６を一般入賞領域２１５の略中央に配置することにより、一般入賞口２１６の左右に、一般入賞口２１６に入賞しなかった遊技球が流下可能な非入賞路（非入球路）２１５ａ，２１５ａを形成している。
【００５１】
図３に示すように、第２分岐路２１０に連接した下部第２誘導路（下流通路、第２通路）２１４は、その中流部がＣ型に屈曲するクランク状に形成されており、その下流部の左右の側壁には、複数の減速リブ２１４ａ，２１４ａが互い違いに設けられている。
【００５２】
一般入賞領域２１５の非入賞路２１５ａ，２１５ａ又は下部第２誘導路２１４のいずれかを流下した遊技球は、アタッカー領域３００へ流入するようになっている。
【００５３】
なお、本実施形態の遊技機１では、鉛直路２０４、分岐部２０６、第１分岐路２０８、第２分岐路２１０、下部第１誘導路２１２、下部第２誘導路等を構成する構成部材（例えば、側壁等）を遊技盤４に設けることによって各遊技通路等を構成している。
【００５４】
図２、３に示すように、振分け領域２００の前側には、振分け領域２００の前面を覆い、振分け領域２００を流下する遊技球の前後のブレを規制する透明の合成樹脂性の飾り板２２０が設けられる。
【００５５】
図６に示すように、飾り板２２０における、第２分岐路２１０の上流部、換言すると左下隅部（頂部２０７の右上）に対向する部位には、誘導具（調整具）Ｐを前方から挿入可能な前後方向の第１挿入孔（挿入部）２２０ａが形成されている。
また、図３に示すように、飾り板２２０における、一般入賞口２１６の両側の上部に対向する部位には、誘導具Ｐを前方から挿入可能な前後方向の第２挿入孔（挿入部）２２０ｂ，２２０ｂが形成されている。
【００５６】
図６に示すように、第１挿入孔２２０ａは、遊技球の第２分岐路２１０の流下軌道Ｆからずれた位置に配置されているため、図５に示すように、遊技球が第２分岐路２１０を通過する際に第１挿入孔２２０ａに接することがなく、第１挿入孔２２０ａが遊技球の流下に影響を与えることはない。
【００５７】
なお、誘導具（調整具）Ｐは、例えば、流下してきた遊技球が衝突しても破損しない程度の剛性を有する合成樹脂性、木製、金属製等の材質の棒状体（例えば、直径１．５ｍｍ〜２ｍｍ程度）であって、第１挿入孔２２０ａ又は第２挿入孔２２０ｂから挿入される部分の長さが、遊技盤４と飾り板２２０との間（前後方向）の長さと同程度であると好適である。
【００５８】
図７に示すように、誘導具Ｐを第１挿入孔２２０ａから挿入することにより、第２分岐路２１０の通路幅（通路高）Ｗを遊技球の直径よりも小とすることができる。また、分岐部２０６の頂部２０７よりも高い位置に誘導具Ｐを挿入することにより、実質的に誘導具Ｐが挿入された位置に分岐部２０６の頂部が移動して第１分岐路２０８が右上方向に延伸させることができる。
これらの構成により、鉛直路２０４から第２分岐路２１０への遊技球の流下を誘導具Ｐにより阻止するとともに、当該遊技球を第１分岐路２０８へ速やかに誘導することができる。
【００５９】
また、図８に示すように、誘導具Ｐを第２挿入孔２２０ｂ，２２０ｂのそれぞれから挿入することにより、下部第１誘導路２１２と一般入賞口２１６とを連通させることができる。
【００６０】
この構成により、下部第１誘導路２１２から非入賞路２１５ａ，２１５ａへの遊技球の流下を誘導具Ｐにより阻止するとともに、当該遊技球を一般入賞口２１６に入賞するように誘導することができる。
【００６１】
したがって、本実施形態の遊技機１では、出荷前の工場検査時において、検査の効率性等の観点から、遊技球の通過を１球ずつ電気的に検出させるべく遊技球を第１分岐路２０８へ流下させることが望まれる場合に、第１挿入孔２２０ａから誘導具Ｐを挿入することにより第２分岐路２１０への遊技球の流下を阻止し、第２分岐路２１０へ誘導することができ、検査の効率化を図ることができる。
また、同じく検査の効率性の観点から、同じく第１分岐路２０８及び下部第１誘導路２１２を通過した遊技球を一般入賞口２１６に確実に入賞させることが望まれる場合に、第２挿入孔２２０ｂ，２２０ｂから誘導具Ｐを挿入することにより非入賞路２１５ａ，２１５ａへの遊技球の流下を阻止するとともに、当該遊技球を一般入賞口２１６に入賞するように誘導することができる。
【００６２】
図３、６、７に示すように、飾り板２２０における、誘導釘２０４ｂに対向する部位には、誘導釘２０４ｂを前方から金槌等（調整具）により調整（変形）可能なように調整孔（挿入部）２２０ｃが形成されている。
【００６３】
図２に示すように、振分け領域２００の下方には、アタッカー領域３００が設けられる。
アタッカー領域３００は、遊技球が入賞可能なアタッカー装置３０２、振分け領域２００から流下してきた遊技球をアタッカー装置３０２へ誘導するアタッカー誘導路３０４、ＬＥＤ等の光源が複数配置された発光演出領域３０６等を含んで構成される。
【００６４】
アタッカー装置３０２は、上下方向に開口し遊技球が入球可能な大入賞口３０２ａと、大入賞口３０２ａを遊技球が入賞不能な閉鎖状態又は入賞可能な開放状態に前後に変動可能な開閉部材３０２ｂとを有する。大入賞口３０２ａ内には、遊技球を遊技盤４の裏側へ排出する排出口３０２ｃへ至る通路に入賞球を検出するための入賞検出スイッチＳＷ２が設けられる。
【００６５】
図２に示すように、遊技領域４ａの最下端には、遊技領域４ａに打ち込まれた遊技球のうち、第１特図入賞口１２、第２特図入賞口１５１、大入賞口３０２ａ及び一般入賞口１３，２１６のいずれにも入球しなかった遊技球を、遊技盤４の裏側へ排出可能な排出口４１が設けられる。
【００６６】
第１特図入賞口１２、普図ゲート１４、第２特図入賞口１５１、大入賞口３０２ａ及び一般入賞口１３，２１６には、遊技球の入球を検出可能な球検出センサ（一部図示省略）が設けられ、これらの球検出センサの遊技球の検出をもって「入賞」としている（普図ゲート１４での遊技球の検出は「入賞」ではない）。
【００６７】
本実施形態の遊技機１では、発射ハンドル９の操作（遊技媒体を遊技機に投入する遊技操作）により遊技領域４ａへ発射される遊技球が、上述の入賞口に入賞することにより、賞球として所定数の遊技球が払い出され、始動入賞口である第１特図入賞口１２や第２特図入賞口１５１に入賞した場合には、後述する所定の抽選が行われ、抽選に基づく種々の遊技結果がもたらされる。
【００６８】
遊技盤４の裏側には、遊技に係る制御を実行する制御基板Ｃ（図１参照）が設けられる。制御基板Ｃは、遊技全体を統括的に制御する主制御基板（図示省略）、主制御基板からの指令（制御、コマンド信号）に基づいて演出装置（スピーカ６Ｌ、６Ｒ、電飾装置７、演出表示装置１１、光演出部ＬＰ等）を制御する副制御基板（図示省略）、遊技球の払出しを制御する払出制御基板（図示省略）等を含んで構成される。
【００６９】
制御基板Ｃは、上述の通り、第１特図入賞口１２若しくは第２特図入賞口１５１への入賞、又は普図ゲート１４の通過に基づいて抽選を行う。
【００７０】
具体的に、制御基板Ｃは、第１特図入賞口１２又は第２特図入賞口１５１への遊技球の入賞に基づいて、大当り遊技を生起させるか否かを決定するための特図抽選を実行するとともに、大当りの種類を決定するための大当り種類抽選、いわゆるリーチ演出等の演出時間を決定付ける変動パターン抽選、その他の抽選、例えば、大当り遊技において実行されるラウンド遊技回数（例えば、２Ｒ、８Ｒ、１５Ｒ等）を決定するための抽選等を行う。
【００７１】
また、制御基板Ｃは、大当り遊技におけるラウンド遊技では、大入賞口３０２ａを所定期間（例えば、２８．５秒）開放する制御又は大入賞口３０２ａに規定入球数（例えば、１０個）の遊技球が入賞したことに基づいて、大入賞口３０２ａを閉鎖する制御を行い、単位ラウンド遊技を、決定されたラウンド遊技回数分実行する。
【００７２】
制御基板Ｃは、普図ゲート１４への遊技球の通過に基づいて、電チュー１５の可動板１５３を開放状態へ変動させる（以下、「電チュー１５を開放させる」ともいう）か否かを決定するための普図抽選を実行し、普図抽選の当選に基づいて、電チュー１５を開閉制御する。
【００７３】
ここで、本実施形態の遊技機１では、遊技状態として大当り遊技以外に、通常遊技（特図抽選の当選確率：例えば、１／３００、普図抽選の当選確率：例えば、１／１０００）、確変遊技（特図抽選の当選確率：例えば、１／７０、普図抽選の当選確率：例えば、１／１．１）及び時短遊技（特図抽選の当選確率：例えば、１／７０、普図抽選の当選確率：例えば、１／１０００）が設定されており、制御基板Ｃによって各遊技間の移行（開始及び終了）が制御される。
【００７４】
制御基板Ｃは、特図抽選の大当りの当選に基づいて、大当り遊技を開始させ、大当り遊技中において遊技球がアタッカー装置３０２の図示略の特定入球口に入球したことに基づいて、大当り遊技終了後、確変遊技を開始させ、大当り遊技中において遊技球が特定入球口に入球しなかった場合には、大当り遊技終了後、時短遊技を開始させ、確変遊技又は時短遊技において特図抽選に当選しなかった場合は、確変遊技又は時短遊技終了後、通常遊技を開始させる制御を行う。なお、大当り遊技終了後の確変遊技又は時短遊技については、当該大当りに係る特図抽選とともに抽選等により予め決定するようにしてもよい。
【００７５】
また、制御基板Ｃは、遊技機１の各可動部材（例えば、可動板１５３、開閉部材３０２ｂ）の駆動源であるモータ、ソレノイド等の駆動制御（励磁制御及び非励磁制御）により、各可動部材を作動させる。
【００７６】
また、制御基板Ｃは、各演出装置を制御し、例えば、演出スイッチＳＷ１の遊技球の検知に基づいて、光演出部ＬＰを上から順に遊技球の流下速度に合わせて次々に点灯させる演出を行うように制御する。
【００７７】
以上、本発明の実施形態について説明したが、本発明の要旨を逸脱しない範囲内で、本実施形態に対して、次のような変形、変更を施すことが可能である。また、上記の本発明の一実施形態及び下記変形例におけるそれぞれの構成部材、処理、条件等を適宜組み合わせることが可能である。
（変形例１）
【００７８】
上記実施形態では、誘導具Ｐを断面視円形の棒状体としているが、これに限定されることはなく、例えば、誘導具Ｐを断面視長矩形状、楕円形等であって通路幅程度の幅を有する板状体として、挿入孔から挿入させて遊技球の流れを規制（通路への流下を阻止）するようにしてもよい。この場合、当該挿入孔の形状を、当該誘導具を挿入可能な形状に変更する。
（変形例２）
【００７９】
分岐部２０６（頂部２０７、第１分岐路２０８及び第２分岐路２１０）に、鉛直路２０４から流下して衝突してきた遊技球の衝撃を吸収して、跳ね返りを緩和させるための衝撃吸収材を貼付してもよい。
この構成により、遊技球のイレギュラーな跳ね返りを抑制することができ、遊技球を安定して流下させることができる。
（変形例３）
【００８０】
上記実施形態では、鉛直路２０４の誘導釘２０４ｂを複数の遊技釘で構成しているが、これに限定されることなく、例えば、単一の遊技釘から構成するようにしてもよい。また、誘導釘２０４ｂを鉛直路２０４の幅方向に可動する合成樹脂性の可動樹脂壁に変更してもよい。
（変形例４）
【００８１】
上記実施形態では、分岐部２０６の頂部２０７を尖形としているが、第１挿入孔２２０ａから挿入される誘導具Ｐの外周面の相補形をなす長溝を形成するようにしてもよい。
この構成により、誘導具Ｐを第１挿入孔２２０ａに挿入した場合に、誘導具Ｐが長溝に安定良く支持される。
（変形例５）
【００８２】
遊技盤４の盤面における第１挿入孔２２０ａ及び／又は第２挿入孔２２０ｂ，２２０ｂに対向する位置に、挿入した誘導具Ｐの先端が嵌合可能な嵌合孔を設けるようにしてもよい。
（変形例６）
【００８３】
上記実施形態では、第１挿入孔２２０ａを、飾り板２２０における第２分岐路２１０の左下隅部（頂部２０７の右上）に対向する部位に設けているが、これに限定されることはなく、第３挿入孔（図示省略）を、出荷前の工場検査の内容に応じて、例えば、第１分岐路２０８の右下隅部（頂部２０７の左上）に対応する部位に設けるようにしてもよい。この場合、第３挿入孔を第１挿入孔２２０ａに代えて、又は第１挿入孔２２０ａとともに設けるようにする。
この構成により、出荷前の工場検査時において、検査の効率性等の観点から、遊技球を第２分岐路２１０へ流下させることが望まれる場合に、第１分岐路２０８への遊技球の流下を阻止し、第２分岐路２１０へ誘導することができ、検査の効率化を図ることができる。
（変形例７）
【００８４】
上記実施形態では、鉛直路２０４、分岐部２０６、第１分岐路２０８、第２分岐路２１０、下部第１誘導路２１２、下部第２誘導路等の構成部材（例えば、側壁）を、遊技盤４側に設けることによって各通路を構成しているが、これに限定されることはなく、飾り板２２０側に設けるようにしてもよい。この構成により、飾り板２２０と通路（振分け領域２００）とをユニット化することができる。
（変形例８）
【００８５】
上記実施形態では、飾り板２２０に形成された挿入部、すなわち第１挿入孔２２０ａ、第２挿入孔２２０ｂ、調整孔２２０ｃは、閉じられた孔として形成されているが、一部が開放された切欠き状とするようにしてもよい。
（変形例９）
【００８６】
上記実施形態における振分け領域２００の一般入賞口２１６を、遊技球の通過を検知するための通過口（入球口）に代えてもよい。当該通過口の遊技球の通過により、遊技上の所定の処理（遊技の進行に係る処理や演出に係る処理）を行うようにすることができる。
したがって、出荷前の工場検査時において、検査の効率性等の観点から、遊技球を当該通過口を通過させることが望まれる場合には、上記実施形態により、遊技球が当該通過口を通過するように誘導することができる。
【符号の説明】
【００８７】
１  遊技機、４  遊技盤、４ａ  遊技領域、４ｂ  ワープ通路、６Ｌ、６Ｒ  スピーカ、７  電飾装置、１０  センター役物、１０ａ  飾り枠、１１  演出表示装置、１２  第１特図入賞口、１３  一般入賞口、１４  普図ゲート、１５  第２特図始動電動役物、１５１  第２特図入賞口、１５２  誘導壁、１５３  可動板、１５４  前面カバー、１６２  上部第１誘導路、１６４  上部第２誘導路、１６４ａ  減速リブ、
２００  振分け領域、２０２  導入口、２０４  鉛直路、２０４ａ  樹脂壁、２０４ｂ誘導釘、２０４ｃ  減速リブ、２０６  分岐部、２０８  第１分岐路、２１０  第２分岐路、２１２  下部第１誘導路、２１２ａ  両側壁、２１２ｂ  減速リブ、２１４  下部第２誘導路、２１４ａ  減速リブ、２１５  一般入賞領域、２１５ａ  非入賞路、２１６  一般入賞口、２１６ａ  誘導路、２２０  飾り板、２２０ａ  第１挿入孔、２２０ｂ  第２挿入孔、２２０ｃ  調整孔、３００  アタッカー領域、３０２  アタッカー装置、３０２ａ  大入賞口、３０２ｂ  開閉部材、３０２ｃ  排出口、３０４  アタッカー誘導路、４１  排出口
Ｃ  制御基板、ＣＬ  中心線、Ｆ  流下軌道、Ｌ  光源、ＬＰ  光演出部、Ｐ  誘導具、ＰＳ  通過口、ＳＷ１  演出スイッチ、ＳＷ２  入賞検出スイッチ、Ｗ  通路幅、
Ｗ１  風車
【図１】
2018051066.tif 000003
【図２】
2018051066.tif 000004
【図３】
2018051066.tif 000005
【図４】
2018051066.tif 000006
【図５】
2018051066.tif 000007
【図６】
2018051066.tif 000008
【図７】
2018051066.tif 000009
【図８】
2018051066.tif 000010